(57)【要約】【課題】  希薄な太陽光を用いた吸収冷凍サイクルにおいて実用に耐えるレベルの冷凍能力を有する除湿冷房装置を提供する。【解決手段】  最上部に吸収剤となる塩化カルシウム１６を収容する吸収剤収容部１７を有し前記吸収剤収容部１７の下部から長手方向に沿って下方へとナイロンの交ラク体であるヘチマロン１８が螺旋状に配設された除湿塔１３，１４，１５と、前記除湿塔１３，１４，１５内へと略１．５気圧で加圧して大気を送り込む高圧ブロアー１２と、前記除湿塔１３，１４，１５を通過した大気を水に接触をさせない状態で散水して冷却を行う冷却塔２４，２５とを備え、除湿効率を向上させる。【選択図】  図２
2007113876.tif 000002
【特許請求の範囲】
【請求項１】
塩化カルシウムを吸収剤とし前記吸収剤の再生エネルギーを太陽光から得る吸収冷凍サイクルにおいて、
上下に延びる筒状体内の最上部に吸収剤となる塩化カルシウムを収容する吸収剤収容部を有し前記吸収剤収容部の下部から前記筒状体内の長手方向に沿って下方へとナイロンの交ラク体であるヘチマロンが螺旋状に配設され大気の流れ方向を下方から上方の向きに規制した除湿塔と、
前記除湿塔内へと加圧状態で大気を送り込む高圧ブロアーと、
前記除湿塔を通過した大気を水との直接の接触をさせない状態で散水する方式による水冷式放熱体により冷却を行う冷却塔と
を具備することを特徴とする除湿冷房装置。
【請求項２】
除湿により水溶液化した塩化カルシウムの水溶液を収容し夜間の外気により冷却を行う溶液収容タンクと、
前記除湿塔内の途中に配置され塩化カルシウム水和物を収容する中段と具備することを特徴とする請求項１に記載の除湿冷房装置。
【請求項３】
前記溶液収容タンク内の底面に複数の溝が形成されていることを特徴とする請求項２に記載の除湿冷房装置。
【請求項４】
吸収剤である塩化カルシウムによる除湿により希薄な水溶液となった塩化カルシウム水溶液を加熱する容器となる加熱槽と、
前記加熱槽へと太陽光を集光させる集光手段と
を具備することを特徴とする請求項１に記載の除湿冷房装置。
【請求項５】
前記集光手段は、端面方向から見たとき同一断面形状を保って奥行き方向に続き幅方向に入射角度が異なる光に対して透過経路の途中で全反射及び屈折により入射角度に関係なく一定範囲の放射角度に制限して放射させる機能を有する複数の集光部が幅方向に連続して並ぶ光路抑制レンズを奥行き方向が南北になるとともに東西方向にはアーチ状になるように配設してなる東西方向集光手段と、
鏡面反射板からなり反射面が凹面状をし東西方向集光手段の後方（北半球では北、南半球では南）に反射面を前方に向けて配置された後部反射板と、
片面が完全にフラットな平面からなる平面形状で反対側の面が側方端面から見て階段状をした略平板状の板からなり階段状の面を構成する隣り合う面部が完全にフラットな平面部分と凹状の凹状曲面部分とが交互に繰り返した形状をしており東西方向側方から見た時に階段状の面が確認できる向きで東西方向集光手段の前方側の端（北半球では南、南半球では北）において階段状の面を後方へと向けて配置された前部反射板と
を具備することを特徴とする請求項４に記載の除湿冷房装置。
【発明の詳細な説明】
【技術分野】
【０００１】
本発明は、吸収剤に塩化カルシウムを用いた吸収冷凍サイクルに関するものであり、特に吸収剤を再生するエネルギー源に太陽光を用いた除湿冷房装置に関するものである。
【背景技術】
【０００２】
鈴木は、これまでに透過経路の途中で必要に応じて全反射をする機構により集光能力を高めた集光レンズを発明しており、この集光レンズで集光した太陽光を吸収冷凍サイクルの吸収剤の再生に必要な熱源として用いることを提案している。特に、吸収剤に塩化カルシウムを用いた除湿冷房装置への太陽光の利用は好ましい。
【０００３】
しかし、従来より太陽光を用いた吸収冷凍サイクルは研究されたものの希薄な太陽光を用いた冷凍能力の限界から実用化には至らなかった。
【特許文献１】特開２０００−２８４２１２号公報
【特許文献２】特開２０００−２９７９４９号公報
【特許文献３】特開２０００−５６１０２号公報
【特許文献４】特開２００２−２１４４０６号公報
【特許文献５】特開２００２−３５７７０２号公報
【特許文献６】特開２００４−３４７８０６号公報
【特許文献７】特開２００５−４９４３３号公報
【発明の開示】
【発明が解決しようとする課題】
【０００４】
解決しようとする問題点は、希薄な太陽光を用いた吸収冷凍サイクルにおいて実用に耐えるレベルの冷凍能力を得られなかった点である。
【課題を解決するための手段】
【０００５】
請求項１の発明にかかる除湿冷房装置は、塩化カルシウムを吸収剤とし前記吸収剤の再生エネルギーを太陽光から得る吸収冷凍サイクルにおいて、上下に延びる筒状体内の最上部に吸収剤となる塩化カルシウムを収容する吸収剤収容部を有し前記吸収剤収容部の下部から前記筒状体内の長手方向に沿って下方へとナイロンの交ラク体であるヘチマロンが螺旋状に配設され大気の流れ方向を下方から上方の向きに規制した除湿塔と、前記除湿塔内へと加圧状態で大気を送り込む高圧ブロアーと、前記除湿塔を通過した大気を水との直接の接触をさせない状態で散水する方式による水冷式放熱体により冷却を行う冷却塔とを備えたものである。なお、水冷式放熱体には廃自動車のラジエーターの他アルミニウムの波板等を用いたものが考えられる。
【０００６】
従って、請求項１の発明にかかる除湿冷房装置によれば、大気の除湿を行った塩化カルシウムが水溶液となって吸収剤収容部より下方へと流れ出るが、この水溶液が螺旋状の交ラク体であるヘチマロンを伝って下方へと移動する事により大気との接触面積を増す。また、水溶液化した塩化カルシウムは下へ移動するごとに濃度が薄くなり除湿能力が低下するが、高圧ブロアーより送られる大気は除湿塔の下方から上方に向かって送り込まれるため、湿度が高く除湿し易いときには、除湿能力の低い下方側で除湿され、湿度が低く除湿が困難になるにつれて除湿能力の高い上方側で除湿される。また、除湿塔内へ送り込まれる大気は高圧ブロアーより加圧された状態になる。
【０００７】
請求項２の発明にかかる除湿冷房装置は、請求項１の発明の除湿冷房装置において、除湿により水溶液化した塩化カルシウムの水溶液を収容し夜間の外気により冷却を行う溶液収容タンクと、前記除湿塔内の途中に配置され塩化カルシウム水和物を収容する中段とを備えたものである。
【０００８】
従って、請求項２の発明にかかる除湿冷房装置によれば、請求項１の発明の除湿冷房装置の作用に加えて、溶液収容タンクでの夜間の外気による冷却により水溶液化した塩化カルシウムから水和物を析出させる事が出来、析出した塩化カルシウム水和物を除湿塔内の中段にて吸収剤として再利用出来る。
【０００９】
請求項３の発明にかかる除湿冷房装置は、請求項２の発明の除湿冷房装置において、前記溶液収容タンク内の底面に複数の溝が形成されているものである。
【００１０】
従って、請求項３の発明にかかる除湿冷房装置によれば、請求項２の発明の除湿冷房装置の作用に加えて、溶液収容タンクの底に溜まった塩化カルシウム水溶液から夜間冷却により生成される水和物は、溝内に析出する。
【００１１】
請求項４の発明にかかる除湿冷房装置は、請求項１の発明の除湿冷房装置において、吸収剤である塩化カルシウムによる除湿により希薄な水溶液となった塩化カルシウム水溶液を加熱する容器となる加熱槽と、前記加熱槽へと太陽光を集光させる集光手段とを備えたものである。
【００１２】
従って、請求項４の発明にかかる除湿冷房装置によれば、請求項１の発明の除湿冷房装置の作用に加えて、地球に無尽蔵に降り注ぐ太陽光により吸収剤である塩化カルシウムを再生して吸収冷凍サイクルを動作させることが出来る。
【００１３】
請求項５の発明にかかる除湿冷房装置は、請求項４の発明の除湿冷房装置において、前記集光手段が、端面方向から見たとき同一断面形状を保って奥行き方向に続き幅方向に入射角度が異なる光に対して透過経路の途中で全反射及び屈折により入射角度に関係なく一定範囲の放射角度に制限して放射させる機能を有する複数の集光部が幅方向に連続して並ぶ光路抑制レンズを奥行き方向が南北になるとともに東西方向にはアーチ状になるように配設してなる東西方向集光手段と、鏡面反射板からなり反射面が凹面状をし東西方向集光手段の後方（北半球では北、南半球では南）に反射面を前方に向けて配置された後部反射板と、片面が完全にフラットな平面からなる平面形状で反対側の面が側方端面から見て階段状をした略平板状の板からなり階段状の面を構成する隣り合う面部が完全にフラットな平面部分と凹状の凹状曲面部分とが交互に繰り返した形状をしており東西方向側方から見た時に階段状の面が確認できる向きで東西方向集光手段の前方側の端（北半球では南、南半球では北）において階段状の面を後方へと向けて配置された前部反射板とを備えたものである。
【００１４】
従って、請求項５の発明にかかる除湿冷房装置によれば、請求項４の発明の除湿冷房装置の作用に加えて、東西方向集光手段により太陽光の時々刻々と東西方向に入射角度を変化させる成分を時刻に関係なく略一定範囲に集光させることが出来、後部反射板により太陽光の東西方向集光手段の後方へと漏れ出ようとする成分を鏡の様に鏡面反射させて東西方向集光手段へと到達させ加熱槽内へと集光させることが出来、後部反射板で反射された太陽光のうち東西方向集光手段の前方側の端より外部へと漏れ出ようとする太陽光を階段状側の面から入射角度に関係なく略全て全反射させて東西方向集光手段へと到達させ加熱槽内へと集光させることが出来る。
【発明の効果】
【００１５】
請求項１の発明にかかる除湿冷房装置によれば、大気の除湿を行った塩化カルシウムが水溶液となって吸収剤収容部より下方へと流れ出るが、この水溶液が螺旋状の交ラク体であるヘチマロンを伝って下方へと移動する事により大気との接触面積を増し、除湿能力を最大限の発揮する。また、水溶液化した塩化カルシウムは下へ移動するごとに濃度が薄くなり除湿能力が低下するが、高圧ブロアーより送られる大気は除湿塔の下方から上方に向かって送り込まれるため、湿度が高く除湿し易いときには、除湿能力の低い下方側で除湿され、湿度が低く除湿が困難になるにつれて除湿能力の高い上方側で除湿される。そのため、最適効率での大気の除湿と、塩化カルシウムの消費量の抑制とが行え経済的である。また、除湿塔内へ送り込まれる大気は高圧ブロアーより加圧された状態にあるので水蒸気分の密度が増し除湿効率が向上する。
【００１６】
請求項２の発明にかかる除湿冷房装置によれば、請求項１の発明の除湿冷房装置の効果に加えて、溶液収容タンクでの夜間の外気による冷却により水溶液化した塩化カルシウムから水和物を析出させる事が出来、析出した塩化カルシウム水和物を除湿塔内の中段にて吸収剤として再利用出来るので塩化カルシウムの消費量を低減出来る。
【００１７】
請求項３の発明にかかる除湿冷房装置によれば、請求項２の発明の除湿冷房装置の効果に加えて、溶液収容タンクの底に溜まった塩化カルシウム水溶液から夜間冷却により生成される水和物は、溝内に析出し、取り出し易い。
【００１８】
請求項４の発明にかかる除湿冷房装置によれば、請求項１の発明の除湿冷房装置の効果に加えて、地球に無尽蔵に降り注ぐ太陽光により吸収剤である塩化カルシウムを再生して吸収冷凍サイクルを動作させることが出来経済的である。
【００１９】
請求項５の発明にかかる除湿冷房装置によれば、請求項４の発明の除湿冷房装置の効果に加えて、東西方向集光手段により太陽光の時々刻々と東西方向に入射角度を変化させる成分を時刻に関係なく略一定範囲に集光させることが出来、後部反射板により太陽光の東西方向集光手段の後方へと漏れ出ようとする成分を鏡の様に鏡面反射させて東西方向集光手段へと到達させ加熱槽内へと集光させることが出来、後部反射板で反射された太陽光のうち東西方向集光手段の前方側の端より外部へと漏れ出ようとする太陽光を階段状側の面から入射角度に関係なく略全て全反射させて東西方向集光手段へと到達させ加熱槽内へと集光させることが出来、結果的に加熱槽内に収容された塩化カルシウム水溶液を時刻に関係なく最高の効率で加熱出来る。
【発明を実施するための最良の形態】
【００２０】
以下、本発明の実施の形態の除湿冷房装置を図１乃至図８に従って説明する。図１は本発明の実施の形態の除湿冷房装置を示す正面図である。図２は本発明の実施の形態の除湿冷房装置の図１のＡ−Ａ断面を示す側方断面図である。図３は本発明の実施の形態の除湿冷房装置の背面断面図である。図４は本発明の実施の形態の除湿冷房装置の除湿塔下部の構造を示す説明図である。図５は本発明の本発明の実施の形態の除湿冷房装置に吸収剤として用いる塩化カルシウムの再生条件を示す表である。図６は本発明の実施の形態の除湿冷房装置の光路抑制レンズの特性を示す説明図である。図７は本発明の本発明の実施の形態の除湿冷房装置の前部反射板の特性を示す説明図である。図８は図７に続く本発明の本発明の実施の形態の除湿冷房装置の前部反射板の特性を示す説明図である。
【００２１】
図１乃至図３に示すように、本発明の実施の形態の除湿冷房装置１は、塩化カルシウムを吸収剤とした吸収冷凍サイクルであり、吸収剤の再生エネルギーを太陽光から得るものである。即ち、本発明の実施の形態の除湿冷房装置１は、塩化カルシウムを用いた除湿及び冷却を行う除湿冷却設備収容棟１１と、除湿による水溶液化により除湿能力を失った塩化カルシウムを太陽光を用いて再生する再生棟２１の２つの部分から構成される。なお、図３中上部省略線部分より上に記載してあるのは、除湿冷却設備収容棟１１の背面側から見た平面図である。
【００２２】
除湿冷却設備収容棟１１では、先ず、高圧ブロアー１２により大気を１．５気圧に圧縮して例えば３本の除湿塔１３，１４，１５へと送り込む。なお、本実施形態では除湿塔は３本であるが本数は限定されない。また、高圧ブロアー１２による大気の圧縮後の気圧は１．５気圧に限定しないが、この程度が好ましい。除湿塔１３，１４，１５の上下に延びる筒状体内の最上部には吸収剤となる塩化カルシウム１６を収容する吸収剤収容部１７が形成されており、吸収剤収容部１７の下部からは前記筒状体内の長手方向に沿って下方へとナイロンの交ラク体であるヘチマロン１８が螺旋状に配設されている。大気の除湿を行った塩化カルシウム１６は水溶液となって吸収剤収容部１７より下方へと流れ出るが、この水溶液はヘチマロン１８を伝って下方へと移動する。塩化カルシウム１６は水溶液になっても濃度に応じて除湿能力を備える。このとき、螺旋状の交ラク体であるヘチマロン１８を伝う事により大気との接触面積を増し、除湿能力を最大限の発揮する。また、水溶液化した塩化カルシウム１６は下へ移動するごとに濃度が薄くなり除湿能力が低下するが、高圧ブロアー１２より送られる大気は除湿塔１３，１４，１５の下方から上方に向かって送り込まれるため、湿度が高く除湿し易いときには、除湿能力の低い筒状体内の下方側で除湿され、湿度が低く除湿が困難になるにつれて除湿能力の高い筒状体内の上方側で除湿される。そのため、最適効率での大気の除湿と、塩化カルシウム１６の消費量の抑制とが行え経済的である。
【００２３】
この過程で除湿塔１３，１４，１５で除湿された大気中の水蒸気分に含まれていた潜熱は顕熱に変わり温度上昇する。そのため、除湿だけではエンタルピーはそのままであり大気は高温のドライエアーとなるだけである。そこで、次の工程では、このドライエアーを４本の冷却塔２４，２５，２６，２７へと送り込んで冷却する。なお、本実施形態では冷却塔は４本であるが本数は限定されない。これら冷却塔２４，２５，２６，２７の内部には廃自動車のラジエーター２８が多段に配設されており、前記ラジエーター２８には冷水を散水するようになっている。なお、冷却塔２４，２５，２６，２７では廃自動車のラジエーター２８にて冷却を行っているが、規模が大きくなり、廃自動車のラジエーター２８では、採算が合わなくなる場合には、アルミニウムの波板等を用いても良い。また、冷却塔２４，２５，２６，２７を通過時には、大気は冷水には直接触れる事はない。その結果、高温のドライエアーは冷却塔２４，２５，２６，２７を通過する過程で湿度が低いままの状態を保って冷水レベルまで低温になり、エンタルピーを下げる事が出来る。最後に、この低温低湿の大気を使用する場合には、必要に応じて水を散水する事による加湿により、顕熱の一部分を潜熱に変え温度降下して使用する。
【００２４】
上記説明で、除湿塔１３，１４，１５の最下部から排出される塩化カルシウム水溶液には、まだ、除湿能力が残っており、フレキシブルホース２２ａ，２３ａを経由して溶液収容タンク２２，２３に収容する。溶液収容タンク２２，２３に収容した塩化カルシウム水溶液は、夜間の外気により冷却すると、その一部分が塩化カルシウム水和物（ＣａＣｌ２・４Ｈ２Ｏ）として析出する。
【００２５】
詳しくは、図４に示すように、除湿塔１３，１４，１５内の下方には上下に２つ並ぶ弁座２９ａ，２９ｂ間に浮き２９が吊り支持されており、塩化カルシウム水溶液の水面が浮き２９に達すると、浮き２９が持ち上がる事に連動して図示しないスイッチが働き、図示しない弁が開いて下部のフレキシブルホース２２ａ，２３ａより溶液収容タンク２２，２３へと排出され、塩化カルシウム水溶液が排出される。溶液収容タンク２２，２３内の底面には複数の溝２２ｂ，２３ｂが形成されており、溜まった塩化カルシウム水溶液から夜間に冷却により生成される水和物は、溝２２ｂ，２３ｂ内に析出する。このように析出した水和物は、充分な除湿能力があるので吸収剤として除湿塔１３，１４，１５内の途中に配置された中段１９，２０，２１へと移動させて再利用する。残りの水溶液は濃度が小さ過ぎて十分な除湿能力がないので、再生棟３１にて濃縮再生する。なお、除湿塔１３，１４，１５の浮き２９周辺は分解可能な分解部３０となっている。詳しくは、分解部３０の上下にはフランジ部３０ａ，３０ｂが形成され、図示しないボルトを緩めることによって分解出来る。塩化カルシウム水和物が浮き２９周辺に析出されると水面の上昇を検出出来なくなるので、必要に応じて分解部３０を分解して浮き２９周辺に析出された塩化カルシウム水和物を除去出来る。高圧ブロアー１２から除湿塔１３，１４，１５内へと大気を送り込む途中には圧入バルブ３０ｃが介在しており、除湿塔１３，１４，１５内は常に１．５気圧に保たれている。即ち、除湿塔１３，１４，１５の内部の空洞部のうち塩化カルシウム水溶液が占める部分以外は１．５気圧に加圧された操作用空気留まり３０ｄとなっており、この空気の圧力により、フレキシブルホース２２ａ，２３ａの弁を開くだけで、内部の塩化カルシウム水溶液をスムーズに溶液収容タンク２２，２３へと移動させることが出来る。
【００２６】
続いて、再生棟３１の説明をする。溶液収容タンク２３に排出された塩化カルシウム水溶液は、再生棟３１にて濃縮され再利用される。再生棟３１では、太陽光により塩化カルシウム水溶液中の水を加熱気化することによって塩化カルシウムの濃縮を行う。再生棟３１は、希薄になった塩化カルシウム水溶液を加熱する加熱槽３２と、前記加熱槽３２へと太陽光を集光させる集光手段３３とを備えている。集光手段３３は、太陽光の時々刻々と東西方向に入射角度を変化させる成分を集光させる東西方向集光手段３４と、太陽光の四季により南北方向に変化し東西方向集光手段３４の後方（北半球では北、南半球では南）へと漏れ出ようとする成分を後方にて反射させて取り込む後部反射板３５と、後部反射板３５により反射された光のうち前方（北半球では南、南半球では北）へと漏れ出ようとする成分を前方にて反射させて取り込む前部反射板３６とを備えている。
【００２７】
東西方向集光手段３４は、図８に示すように、端面方向から見たとき同一断面形状を保って奥行き方向に続く複数の集光部が幅方向に連続して並ぶ光路抑制レンズ３４ａからなり、光路抑制レンズ３４ａの各集光部は、幅方向に入射角度が異なる光に対して透過経路の途中で全反射及び屈折により入射角度に関係なく、一定範囲の放射角度に制限して放射させる機能を有する。例えば±３０以内の放射角度で放射させることが可能である。そして、光路抑制レンズ３４ａの奥行き方向が南北になるようにするとともに、東西方向にはアーチ状になるように配設して東西方向集光手段３４は構成される。東西方向集光手段３４によれば、光路抑制レンズ３４ａの特性から太陽光の時々刻々と東西方向に入射角度を変化させる成分を時刻に関係なく略一定範囲に集光させることが出来、加熱槽３２内に収容された塩化カルシウム水溶液を時刻に関係なく最高の効率で加熱出来る。
【００２８】
後部反射板３５は、アルミ板または反射面に銀メッキ等を施した板からなり反射面が凹面状をしたものである。即ち、後部反射板３５は太陽光の東西方向集光手段３４の後方へと漏れ出ようとする成分を鏡の様に鏡面反射により反射して東西方向集光手段３４へと到達させる。後部反射板３５による反射後に東西方向集光手段３４へと到達した太陽光も直接に東西方向集光手段３４へと到達した太陽光と同様に東西方向の進行方向を抑制され加熱槽３２内へと集光される。
【００２９】
前部反射板３６は、図７及び図８に示すように、片面が完全にフラットな平面３６ａからなる平面形状で反対側の面が側方端面から見て階段状をした略平板状の板からなる。特に、階段状の面を構成する隣り合う面部は完全にフラットな平面部分３６ｂと凹状の凹状曲面部分３６ｃとが交互に繰り返した形状をしている。そして、前部反射板３６は東西方向側方から見た時に階段状の面が確認できる向きで、東西方向集光手段３４の前方側の端（北半球では南、南半球では北）において階段状の面を後方へと向けて配置されている。そのため、後部反射板３５で反射された太陽光のうち東西方向集光手段３４の前方側の端より外部へと漏れ出ようとする太陽光は、図７に示すように、階段状側の面から入射することとなり、入射角度に関係なく略全て全反射されて、東西方向集光手段３４へと到達することとなる。また、逆に、図８に示すように、平面３６ａ側から入射する太陽光は、入射角度に関係なく略全てそのまま透過するので、東西方向集光手段３４へと到達することとなる。このように、前部反射板３６の階段状の面で反射して或は平面３６ａから入射後に透過して東西方向集光手段３４へと到達した太陽光も東西方向の進行方向を抑制され加熱槽３２内へと集光される。
【００３０】
このように、高効率に太陽光を集光する集光手段３３によれば、加熱槽３２内の塩化カルシウム水溶液の水分を加熱気化させることが出来、吸収剤として使用出来なくなった希薄な塩化カルシウム水溶液の濃縮を行うことができる。濃縮された塩化カルシウム水溶液は、フレキシブルホース３７ａを介して除湿冷却設備収容棟１１内底部にある濃縮液タンク３７へと一旦収容される。その後、濃縮液タンク３７内の塩化カルシウム水溶液は、夜間に外気にさらして冷却を行い、塩化カルシウム水和物の析出に使用する。温度、塩化カルシウム水溶液の濃度、析出水和物、残留溶液の濃度の関係をまとめると図５に示すようになる。図５によれば、より高温で析出する水和物の方が塩化カルシウム含有量が大きい。そのため高温である程  除湿能力の高い水和物を得る事が出来る。また、低温になれば、塩化カルシウム含有量が少ない水和物まで析出可能であり、より多くの水和物を得る事が出来る。一方、除湿冷却設備収容棟１１内には高温湯槽３８があり、集光手段３３により加熱気化した水蒸気分は、高温湯槽３８に温湯として収容して給湯に使用する。また、この水蒸気はコークスとの反応により水素と二酸化炭素の生成に使用しても良い。生成された水素は直接燃料としてまたは燃料電池等に使用できる。二酸化炭素は藻類の培養に使用し、収穫した藻類を直接加工食品の原料にしたり、鯉、ドジョウ、スッポンのエサとして使用しても良い。
【００３１】
以上をまとめると本発明の実施の形態の除湿冷房装置１は、塩化カルシウムを吸収剤とし前記吸収剤の再生エネルギーを太陽光から得る吸収冷凍サイクルにおいて、上下に延びる筒状体内の最上部に吸収剤となる塩化カルシウム１６を収容する吸収剤収容部１７を有し前記吸収剤収容部１７の下部から前記筒状体内の長手方向に沿って下方へとナイロンの交ラク体であるヘチマロン１８が螺旋状に配設され大気の流れ方向を下方から上方の向きに規制した除湿塔１３，１４，１５と、前記除湿塔１３，１４，１５内へと略１．５気圧で加圧して大気を送り込む高圧ブロアー１２と、前記除湿塔１３，１４，１５を通過した大気を水との直接の接触をさせない状態で散水する方式による水冷式放熱体により冷却を行う冷却塔２４，２５，２６，２７とを備えたものである。なお、水冷式放熱体には廃自動車のラジエーター２８の他アルミニウムの波板等を用いたものが考えられる。
【００３２】
従って、本発明の実施の形態の除湿冷房装置１によれば、大気の除湿を行った塩化カルシウム１６が水溶液となって吸収剤収容部１７より下方へと流れ出るが、この水溶液が螺旋状の交ラク体であるヘチマロン１８を伝って下方へと移動する事により大気との接触面積を増し、除湿能力を最大限の発揮する。また、水溶液化した塩化カルシウム１６は下へ移動するごとに濃度が薄くなり除湿能力が低下するが、高圧ブロアー１２より送られる大気は除湿塔１３，１４，１５の下方から上方に向かって送り込まれるため、湿度が高く除湿し易いときには、除湿能力の低い下方側で除湿され、湿度が低く除湿が困難になるにつれて除湿能力の高い上方側で除湿される。そのため、最適効率での大気の除湿と、塩化カルシウム１６の消費量の抑制とが行え経済的である。また、除湿塔１３，１４，１５内へ送り込まれる大気は高圧ブロアー１２より加圧された状態にあるので水蒸気分の密度が増し除湿効率が向上する。
【００３３】
本発明の実施の形態の除湿冷房装置１は、除湿により水溶液化した塩化カルシウム１６の水溶液を収容し夜間の外気により冷却を行う溶液収容タンク２２，２３と、除湿塔１３，１４，１５内の途中に配置され塩化カルシウム水和物を収容する中段１９，２０，２１とを備えている。
【００３４】
従って、本発明の実施の形態の除湿冷房装置１によれば、上記効果に加えて、溶液収容タンク２２，２３での夜間の外気による冷却により水溶液化した塩化カルシウム１６から水和物を析出させる事が出来、析出した塩化カルシウム水和物を除湿塔１３，１４，１５内の中段１９，２０，２１にて吸収剤として再利用出来るので塩化カルシウムの消費量を低減出来る。
【００３５】
前記溶液収容タンク２２，２３内の底面には複数の溝２２ｂ，２３ｂが形成されている。従って、溶液収容タンク２２，２３の底に溜まった塩化カルシウム水溶液から夜間冷却により生成される水和物は、溝２２ｂ，２３ｂ内に析出し、取り出し易い。
【００３６】
本発明の実施の形態の除湿冷房装置１は、吸収剤である塩化カルシウムによる除湿により希薄な水溶液となった塩化カルシウム水溶液を加熱する容器となる加熱槽３２と、前記加熱槽３２へと太陽光を集光させる集光手段３３とを備えている。
【００３７】
従って、本発明の実施の形態の除湿冷房装置１によれば、地球に無尽蔵に降り注ぐ太陽光により吸収剤である塩化カルシウムを再生して吸収冷凍サイクルを動作させることが出来経済的である。
【００３８】
前記集光手段３３は、端面方向から見たとき同一断面形状を保って奥行き方向に続き幅方向に入射角度が異なる光に対して透過経路の途中で全反射及び屈折により入射角度に関係なく一定範囲の放射角度に制限して放射させる機能を有する複数の集光部が幅方向に連続して並ぶ光路抑制レンズ３４ａを奥行き方向が南北になるとともに東西方向にはアーチ状になるように配設してなる東西方向集光手段３４と、アルミ板または反射面に銀メッキを施す等鏡面反射板からなり反射面が凹面状をし東西方向集光手段３４の後方（北半球では北、南半球では南）に反射面を前方に向けて配置された後部反射板３５と、片面が完全にフラットな平面３６ａからなる平面形状で反対側の面が側方端面から見て階段状をした略平板状の板からなり階段状の面を構成する隣り合う面部が完全にフラットな平面部分３６ｂと凹状の凹状曲面部分３６ｃとが交互に繰り返した形状をしており東西方向側方から見た時に階段状の面が確認できる向きで東西方向集光手段３４の前方側の端（北半球では南、南半球では北）において階段状の面を後方へと向けて配置された前部反射板３６とを備えたものである。
【００３９】
従って、本発明の実施の形態の除湿冷房装置１によれば、東西方向集光手段３４により太陽光の時々刻々と東西方向に入射角度を変化させる成分を時刻に関係なく略一定範囲に集光させることが出来、後部反射板３５により太陽光の東西方向集光手段３４の後方へと漏れ出ようとする成分を鏡の様に鏡面反射させて東西方向集光手段３４へと到達させ加熱槽３２内へと集光させることが出来、後部反射板３５で反射された太陽光のうち東西方向集光手段３４の前方側の端より外部へと漏れ出ようとする太陽光を階段状側の面から入射角度に関係なく略全て全反射させて東西方向集光手段３４へと到達させ加熱槽３２内へと集光させることが出来、結果的に加熱槽３２内に収容された塩化カルシウム水溶液を時刻に関係なく最高の効率で加熱出来る。
【００４０】
ところで、上記説明では、除湿冷房装置１内で塩化カルシウムの再生を行っているが、塩化カルシウムの再生は、複数の除湿冷房装置１で発生する塩化カルシウム水溶液を回収して大規模に休耕田等で行っても良い。
【図面の簡単な説明】
【００４１】
【図１】本発明の実施の形態の除湿冷房装置を示す正面図である。
【図２】本発明の実施の形態の除湿冷房装置の図１のＡ−Ａ断面を示す側方断面図である。
【図３】本発明の実施の形態の除湿冷房装置の背面断面図である。
【図４】本発明の実施の形態の除湿冷房装置の除湿塔下部の構造を示す説明図である。
【図５】本発明の本発明の実施の形態の除湿冷房装置に吸収剤として用いる塩化カルシウムの再生条件を示す表である。
【図６】本発明の実施の形態の除湿冷房装置の光路抑制レンズの特性を示す説明図である。
【図７】本発明の本発明の実施の形態の除湿冷房装置の前部反射板の特性を示す説明図である。
【図８】図７に続く本発明の本発明の実施の形態の除湿冷房装置の前部反射板の特性を示す説明図である。
【符号の説明】
【００４２】
１  除湿冷房装置
１１  除湿冷却設備収容棟
１２  高圧ブロアー
１３，１４，１５  除湿塔
１６  塩化カルシウム
１７  吸収剤収容部
１８  ヘチマロン
１９，２０，２１  中段
２２，２３  溶液収容タンク
２２ａ，２３ａ，３７ａ  フレキシブルホース
２２ｂ，２３ｂ  溝
２４，２５，２６，２７  冷却塔
２８  ラジエーター
２９  浮き
２９ａ，２９ｂ  弁座
３０  分解部
３０ａ，３０ｂ  フランジ部
３０ｃ  圧入バルブ
３０ｄ  操作用空気留まり
３１  再生棟
３２  加熱槽
３３  集光手段
３４  東西方向集光手段
３４ａ  光路抑制レンズ
３５  後部反射板
３６  前部反射板
３６ａ  平面
３６ｂ  平面部分
３６ｃ  凹状曲面部分
３７  濃縮液タンク
３８  高温湯槽
【図１】
2007113876.tif 000003
【図２】
2007113876.tif 000004
【図３】
2007113876.tif 000005
【図４】
2007113876.tif 000006
【図５】
2007113876.tif 000007
【図６】
2007113876.tif 000008
【図７】
2007113876.tif 000009
【図８】
2007113876.tif 000010